(57)【特許請求の範囲】
【請求項１】
膝の屈伸動作における布地の身体部位へのまとわり付きを解消する違和感解消機能付きズボン（１）であって、
前記ズボン（１）の股上（１ａ）の外側側面部において、上下方向かつ前後方向の異なる位置にそれぞれ取り付けられ、着脱自在に係合させ得る部材からなる係合手段（１１，１２）を備え、
前記係合手段（１１，１２）は、
前記股上（１ａ）のサイドシーム（７）近くに取り付けられた第２係合部（１２）と、前記第２係合部（１２）よりも前方かつ下方の位置に取り付けられる第１係合部（１１）と、を有し、
前記係合手段（１１，１２）を係合させることにより前記ズボン（１）の股上（１ａ）の布地を斜め上後方に吊り上げるように構成した、ことを特徴とする違和感解消機能付きズボン。
【請求項２】
前記係合手段（１１，１２）は、
前記股上（１ａ）の側部に形成されたサイドポケット（２）の開口部側に取り付けられた第１係合部（１１）と、
前記股上（１ａ）の布地側に取り付けられた第２係合部（１２）と、から成り、
前記第２係合部（１２）は、前記第１係合部（１１）よりも後方かつ上方の位置に取り付けられている、ことを特徴とする請求項１に記載の違和感解消機能付きズボン。
【請求項３】
前記第１係合部（１１）と前記前記２係合部（１２）の前後方向の間隔は、１ｃｍ以上２ｃｍ以下である、ことを特徴とする請求項１又は２に記載の違和感解消機能付きズボン。
【請求項４】
ズボン（３１）の股下（３１ｂ）の布地を部分的に吊り上げられた状態にすることにより、該ズボン（３１）の布地が身体部位の膝、太ももにまとわり付くことを解消する違和感解消機能付きズボンであって、
前記ズボン（３１）の股下（３１ｂ）の太もも部分に形成された袋型ポケット（３２）と、
前記袋型ポケット（３２）を閉止するフラップ（３３）に、前記股下（３１ｂ）の長手方向と直交する方向に取り付けられた複数の第１係合部（３４）と、
前記ズボン（３１）の股下（３１ｂ）に、前記フラップ（３３）の位置より上方に取り付けられた第２係合部（３５）と、を備え、
前記第１係合部（３４）と前記第２係合部（３５）とは着脱自在に係合させ得る部材であり、
前記第１係合部（３４）のいずれかを前記第２係合部（３５）に選択的に係合させることにより、前記ズボン（３１）の股下（３１ｂ）の布地が一部上方に吊り上げられる状態を変化させ得るように構成した、ことを特徴とする違和感解消機能付きズボン。
【請求項５】
前記フラップ（３３）において、膝側、中間、膝裏側の３か所それぞれに第１係合部（３４）を取り付け、
前記第１係合部（３４）のいずれかを前記第２係合部（３５）に係合させることにより、前記ズボン（３１）の股下（３１ｂ）膝側の布地、中間の布地又は膝裏側の所望の位置を選択的に上方に吊り上げられるように構成した、ことを特徴とする請求項４の違和感解消機能付きズボン。
【請求項６】
前記第１係合部（１１，３４）と第２係合部（１２，３５）は、ボタンとボタンホールとの組み合わせである、ことを特徴とする請求項１、２、３、４又は５の違和感解消機能付きズボン。
【請求項７】
前記第１係合部（１１，３４）と第２係合部（１２，３５）は、ホックボタンである、ことを特徴とする請求項１、２、３、４又は５の違和感解消機能付きズボン。
【請求項８】
前記第１係合部（１１，３４）と第２係合部（１２，３５）は、鉤ホックと鉤受けとの組み合わせである、ことを特徴とする請求項１、２、３、４又は５の違和感解消機能付きズボン。
【請求項９】
前記第１係合部（１１，３４）と第２係合部（１２，３５）は、面ファスナーである、ことを特徴とする請求項１、２、３、４又は５の違和感解消機能付きズボン。
【発明の詳細な説明】
【技術分野】
【０００１】
本発明は、ズボンの布地が膝、太もも等の身体部位へのまとわり付くことを解消する違和感解消機能付きズボンに関する。
【背景技術】
【０００２】
従来より、ズボンを穿いた者が座る際に、膝を曲げるときにズボンの膝部分の布地を摘まんで少し吊り上げるようにしている。これは伸縮性のないズボンは立っている状態から膝を曲げると、着用している者の太ももから膝までの距離が伸長するため、違和感を覚えることがあるからである。即ち、ズボンの布地を摘まみ上げないと窮屈な状態になる。
【０００３】
工事現場、建築現場等で作業する作業者にとって、通常の股上から股下までの太さが略同じズボンは、膝の曲げ伸ばしが多い作業には不向きであった。例えば、作業中の発汗により膝、太もも等の身体部位へまとわり付くことが多く、汗をかいた状態で、膝を曲げると、ズボンが膝、太もも等の身体部位へのまとわり付きやすかった。
【０００４】
このような状況から、作業者は、股下の足を入れる筒部分が太い作業ズボンが提案されている。更に、ニッカーボッカーズ、通称ニッカボッカと称される、太ももから膝下部分までが太く、足首部分が細い作業ズボンが提案されている。
【０００５】
このように、身体へのまとわり付きを防止する衣服に関する技術が提案されている。例えば、特許文献１の特開平１０−２５６０５号公報「衣服の伸縮調整構造」のように、衣服に取り付けられたポケットのポケット釦が係合する釦穴を有し、ポケット口を開閉自在に封鎖する上下反転可能なフラップと、このフラップの上方反転でフラップの釦穴と係合可能となっており、且つこの係合で衣服を縮ませる位置に設けられた係止釦と、を備えている衣服の伸縮調整構造が提案されている。
【先行技術文献】
【特許文献】
【０００６】
【特許文献１】特開平１０−２５６０５号公報
【発明の概要】
【発明が解決しようとする課題】
【０００７】
上述した特許文献１の「衣服の伸縮調整構造」によれば、ポケット口を開閉自在に封鎖する上下反転可能なフラップ（雨蓋、つば）のようなポケット口を覆う蓋を必要とするものであり、このようなフラップが取り付けられていないズボンには実施しづらいという問題を有していた。
【０００８】
特許文献１の「衣服の伸縮調整構造」は、身体へのまとわり付きを防止する技術は、作業用ズボンに限定され、通所の日常で着用するズボンにも実施できないものであった。即ち、ズボンのデザイン性に制約があるという問題を有していた。
【０００９】
本発明は、かかる問題点を解決するために創案されたものである。すなわち、本発明の目的は、簡単な構成でズボンの布地の一部を吊り上げることで、ズボンの布地が膝、太もも等の身体部位へのまとわり付くことを解消すると共に、ズボンのデザイン性が制約されない違和感解消機能付きズボンを提供することにある。
【課題を解決するための手段】
【００１０】
第１の本発明は、膝の屈伸動作における布地の身体部位へのまとわり付きを解消する違和感解消機能付きズボン（１）であって、前記ズボン（１）の股上（１ａ）の外側側面部において、上下方向かつ前後方向の異なる位置にそれぞれ取り付けられ、着脱自在に係合させ得る部材からなる係合手段（１１，１２）を備え、前記係合手段（１１，１２）は、前記股上（１ａ）のサイドシーム（７）近くに取り付けられた第２係合部（１２）と、前記第２係合部（１２）よりも前方かつ下方の位置に取り付けられる第１係合部（１１）と、を有し、前記係合手段（１１，１２）を係合させることにより前記ズボン（１）の股上（１ａ）の布地を斜め上後方に吊り上げるように構成した、ことを特徴とする。
【００１１】
前記股上（１ａ）の側部に形成されたサイドポケット（２）の開口部側に取り付けられた第１係合部（１１）と、前記股上（１ａ）の布地側に取り付けられた第２係合部（１２）と、から成り、前記第２係合部（１２）は、前記第１係合部（１１）よりも後方かつ上方の位置に取り付けられていてもよい。
【００１２】
前記第１係合部（１１）と前記前記２係合部（１２）の前後方向の間隔は、１ｃｍ以上２ｃｍ以下とすることも好ましい。
【００１３】
第２の本発明は、ズボン（３１）の股下（３１ｂ）の布地を部分的に吊り上げられた状態にすることにより、該ズボン（３１）の布地が身体部位の膝、太ももにまとわり付くことを解消する違和感解消機能付きズボンであって、前記ズボン（３１）の股下（３１ｂ）の太もも部分に形成された袋型ポケット（３２）と、前記袋型ポケット（３２）を閉止するフラップ（３３）に、前記股下（３１ｂ）の長手方向と直交する方向に取り付けられた複数の第１係合部（３４）と、前記ズボン（３１）の股下（３１ｂ）に、前記フラップ（３３）の位置より上方に取り付けられた第２係合部（３５）と、を備え、前記第１係合部（３４）と前記第２係合部（３５）とは着脱自在に係合させ得る部材であり、前記第１係合部（３４）のいずれかを前記第２係合部（３５）に選択的に係合させることにより、前記ズボン（３１）の股下（３１ｂ）の布地が一部上方に吊り上げられる状態を変化させ得るように構成した、ことを特徴とする。
例えば、前記フラップ（３３）において、膝側、中間、膝裏側の３か所それぞれに第１係合部（３４）を取り付け、前記第１係合部（３４）のいずれかを前記第２係合部（３５）に係合させることにより、前記ズボン（３１）の股下（３１ｂ）膝側の布地、中間の布地又は膝裏側の所望の位置を選択的に上方に吊り上げられるように構成したしたものである。
【００１４】
前記第１係合部（１１，３４）と第２係合部（１２，３５）は、ボタンとボタンホールとの組み合わせ、ホックボタン、鉤ホックと鉤受けとの組み合わせ、又は面ファスナーを用いることができる。
【発明の効果】
【００１５】
第１の本発明では、サイドポケット（２）の開口部に取り付けられた第１係合部（１１）を、例えばその上方の位置に取り付けられた第２係合部（１２）に掛け止めることにより、サイドポケット（２）近くの布地が、上方に吊り上げられた状態になる。その結果、膝を曲げる際に展開するズボン（１）の布地部分を広げることができる。即ち、ズボン（１）の太もも部分の布地に弛みが生じるので、膝の屈伸を行ってもズボン（１）の布地が膝、太もも等の身体部位にまとわり付くことがなく、違和感を解消することができる。
【００１６】
一方、通常に歩行する際には、この第１係合部（１１）を第２係合部（１２）から外せば、吊り上げられていた股下（１ｂ）の布地を下げることができ、歩行の邪魔をしない。
特に、工事作業、建築作業の際に、立ち作業と中腰作業の機会が多いときは、この第１係合部（１１）を第２係合部（１２）に掛け止めておき、常にサイドポケット（２）近くの布地を上方に吊り上げられた状態、即ち布地を弛ませることにより作業効率の向上が図れる。
【００１７】
この場合も、通常に歩行する際には、この第１係合部（２２）を第２係合部（２３）から外せば、吊り上げられていた股下（２１ｂ）の布地を下げることができ、歩行の邪魔をしない。
【００１８】
第２の本発明では、袋型ポケット（３２）のフラップ（３３）を上方に反転させ、その第１係合部（３４）のいずれかを所定の第２係合部（３５）に選択的に掛け止めることによって、ズボン（３１）の股下（３１ｂ）の布地を部分的かつ選択的に吊り上げることができ、ズボン（３１）の布地が膝、太もも等の身体部位にまとわり付く違和感を解消することができる。
例えば、膝側を大きく吊り上げること、全体を吊り上げること、膝裏側を大きく吊り上げることを選ぶことができ、所望の位置を選択的に上方に吊り上げることができる。
【００１９】
前記第１係合部（１１，３４）と第２係合部（１２，３５）がボタンとボタンホールとの組み合わせのものは、作業ズボンに限定されず、通常のおしゃれなズボンにも本発明を実施することができる。
【００２０】
また、第１係合部（１１，３４）と第２係合部（１２，３５）がホックボタン、又は鉤ホックと鉤受けとの組み合わせたものは、作業ズボンに限定されず、通常のおしゃれなズボンにも本発明を実施することができる。
【００２１】
更に、第１係合部（１１，３４）と第２係合部（１２，３５）に面ファスナーを用いたズボン（１，３１）は、その股下（１ｂ，３１ｂ）の布地が一部上方に吊り上げる間隔を微妙に調節することができる。
例えば、長時間しゃがんだ状態のときには、股下（１ｂ，３１ｂ）の布地を長く吊り上げ、布地の弛みを大きくとる。逆に単に立ったりしゃがんだりするときは、股下（１ｂ，３１ｂ）の布地は短く吊り上げ、布地の弛みを小さくして、立っているときにも違和感がないようにする。
【図面の簡単な説明】
【００２２】
【図１】実施例１の違和感解消機能付きズボンを示す側面図である。
【図２】実施例１の違和感解消機能付きズボンを釣り上げている状態を示す側面図である。
【図３】第１係合部と第２係合部がボタンとボタンホールの組み合わせを示す拡大側面図であり、（ａ）はボタンをボタンホールに掛け止める前の状態、（ｂ）はボタンをボタンホールに掛け止めた後の状態である。
【図４】実施例１の違和感解消機能付きズボンを釣り上げている状態で膝を曲げた状態を示す側面図である。
【図５】実施例２の違和感解消機能付きズボンを釣り上げている状態を示す側面図であり、（ａ）は釣り上げる前の状態、（ｂ）は釣り上げた状態である。
【図６】実施例２の違和感解消機能付きズボンを釣り上げている状態で膝を曲げた状態を示す側面図である。
【図７】実施例３の違和感解消機能付きズボンを示す側面図である。
【図８】実施例３の違和感解消機能付きズボンを釣り上げる状態を示す側面図であり、（ａ）はフラップを反転した状態、（ｂ）はフラップを第２係合部に掛け止めた状態である。
【図９】実施例３の違和感解消機能付きズボンを釣り上げている状態を示す拡大図であり、（ａ）は膝側の布地を選択的に吊り上げている状態、（ｂ）は中間の布地を吊り上げている状態、（ｃ）は膝裏側の布地を選択的に吊り上げている状態である。
【図１０】実施例４の違和感解消機能付きズボンを示す側面図である。
【図１１】実施例４の違和感解消機能付きズボンを釣り上げる状態を示す側面図であり、（ａ）は調節ベルトを反転した状態、（ｂ）は調節ベルトを第２係合部に掛け止めた状態である。
【図１２】実施例４の第１係合部と第２係合部にホックボタンを用いた状態を示す正面図であり、（ａ）は掛け止める前の状態、（ｂ）は掛け止めた後の状態である。
【図１３】実施例４の第１係合部と第２係合部に面ファスナーを用いた状態を示す正面図であり、（ａ）は掛け止める前の状態、（ｂ）は掛け止めた後の状態である。
【発明を実施するための形態】
【００２３】
本発明の違和感解消機能付きズボンは、ズボンの股下の布地を部分的に吊り上げられた状態にすることにより、このズボンの布地が膝、太もも等の身体部位にまとわり付くことを解消できるズボンである。
【実施例１】
【００２４】
以下、本発明の好ましい実施の形態を図面を参照して説明する。
＜実施例１の違和感解消機能付きズボンの構成＞
図１は実施例１の違和感解消機能付きズボンを示す側面図である。図２は実施例１の違和感解消機能付きズボンを釣り上げている状態を示す側面図である。
実施例１の違和感解消機能付きズボン１は、その股上１ａに形成されたサイドポケット２に本発明の違和感解消機能を構成したものである。ズボン１は、両脚を別々に包む形態の下体衣であり、腰部分の股上１ａの布地と、太もも、膝、脹脛の両脚を包む股下１ｂの布地とから構成される。股上１ａ部分には上から複数のベルトを通すベルトループ３と、ズボン１の前開き部分となるフライ４と、前側の折り目となるプリーツ５と、サイドポケット２、尻ポケット６から成る。更に、ズボンには股上１ａから股下１ｂまでの布地に連続して、前側に折り目クリースと両側面に縫い線のサイドシーム７があらわれている。図示例のズボン１は一般的なズボン（下体衣）の一例であってこの構成に限定されないことは勿論である。
この違和感解消機能は、図示例では左側の布地のみについて説明しているが、両側に構成することは勿論である。以下、実施例２、実施例３も同様である。
【００２５】
実施例１のズボン１は、股上１ａに形成された両側のサイドポケット２の開口部に取り付けられた第１係合部１１のボタンと、このズボンの股上１ａにおけるサイドシーム７近くに取り付けられた第２係合部１２のボタンホールを備えたものである。この第１係合部１１と第２係合部１２は、ボタンとボタンホールのような着脱自在に係合させる部材である。なお、ここで第１係合部１１と第２係合部１２と表記したのは、その説明上区別するためであり、この数字は順番又は等級を示すものではない。そこで、第１係合部１１をボタンホールに第２係合部１２をボタンに逆に配置することも可能である。以下、実施例２、実施例３も同様である。
【００２６】
図１と図２に示すように、第１係合部１１（ボタン）と第２係合部１２（ボタンホール）の上下方向の間隔Ｌ１は２ｃｍから５ｃｍ程度が好ましい。勿論、ズボン１の股下１ｂの布地を部分的かつ選択的に吊り上げるためである。この間隔Ｌ１の半分の間隔が吊り上げられる長さになる。
【００２７】
更に、本発明では第１係合部１１と第２係合部１２の前後方向の間隔Ｌ２は１ｃｍから２ｃｍ程度を有している。これは、人が座る際にズボン１の股下１ｂの布地について膝の上方に吊り上げる共に、前側（膝側）の布地を多めに吊り上げ、この股下１ｂの布地が膝、太もも等の身体部位にまとわり付く違和感を解消しやすくするためである。
【００２８】
＜第１係合部と第２係合部の構成＞
図３は第１係合部と第２係合部がボタンとボタンホールの組み合わせを示す拡大側面図であり、（ａ）はボタンをボタンホールに掛け止める前の状態、（ｂ）はボタンをボタンホールに掛け止めた後の状態である。
実施例１のズボン１は、サイドポケット２の開口部にボタンホール（第１係合部１１）を開け、サイドシーム７にボタン（第２係合部１２）を取り付けることが好ましい。このボタンホールにボタンを掛け止めることも困難になりやすいからである。
【００２９】
なお、図示していないが、ボタンとボタンホールとの組み合わせに成る第１係合部１１と第２係合部１２に代えて、ホックボタンにすることもできる。
また、図示していないが、第１係合部１１と第２係合部１２が鉤ホックと鉤受けとの組み合わせたものは、作業ズボンに限定されず、通常のおしゃれなズボンにも本発明を実施することができる。
【００３０】
＜実施例１の違和感解消機能付きズボンの使用方法＞
図４は実施例１の違和感解消機能付きズボンを釣り上げている状態で膝を曲げた状態を示す側面図である。
実施例１の違和感解消機能付きズボン１では、サイドポケット２の開口部に取り付けられた第１係合部１１（ボタン）を、その上方の位置に取り付けられた第２係合部１２（ボタンホール）に掛け止めることにより、サイドポケット２近くの布地が、上方に吊り上げられた状態にすることができる。その結果、膝を曲げる際に展開するズボン１の布地部分を広げることができる。
【００３１】
ズボン１の太もも部分の布地に弛みが生じるので、膝の屈伸を行ってもズボン１が膝、太もも等の身体部位にまとわり付くことがなく、違和感を解消することができる。例えば、汗をかいていても、膝、太ももがズボン１の布地に付着せず、又は付着していたら離すことができる。この布地を上方に吊り上げる上下方向の間隔Ｌ１は、図1に示すように、足の長さ、太さに応じて設定する。例えば、足が長い人、太い人用のズボン１は、この間隔Ｌ１を長くする。逆に足が短い人、細い人用のズボン１は、この間隔Ｌ１を短くする。同様に、前後方向の間隔Ｌ２についても、足の長さ、太さに応じて設定をする。例えば、足が長い人、太い人用のズボン１は、この間隔Ｌ２を長くする。逆に足が短い人、細い人用のズボン１、この間隔Ｌ２を短くする。
【００３２】
特に、工事作業、建築作業の際に、立ち作業と中腰作業の機会が多いときは、この第１係合部１１（ボタン）を第２係合部１２（ボタンホール）に掛け止めておき、常にサイドポケット２近くの布地を上方に吊り上げられた状態にすることで、作業効率の向上が図れる。
【００３３】
一方、通常に歩行する際には、この第１係合部１１（ボタン）を第２係合部１２（ボタンホール）から外せば、吊り上げられていた股下１ｂの布地を下げることができ、歩行の邪魔をしない。また、ファッション的にも違和感がない。本発明は作業用ズボンに限定されず普通に日常に着用するズボンに適用することができる。
【００３４】
更に、第１係合部１１と第２係合部１２は面ファスナーにすることもできる。面ファスナーは、ズボン１の股下１ｂの布地が一部上方に吊り上げる間隔を微妙に調節することができる。長時間しゃがんだ状態のときには、股下１ｂの布地を長く吊り上げ、布地の弛みを大きくとる。逆に単に立ったりしゃがんだりするときは、股下１ｂの布地は短く吊り上げ、布地の弛みを小さくして、立っているときにも違和感がないようにする。
【実施例２】
【００３５】
＜実施例２の違和感解消機能付きズボンの構成＞
図５は実施例２の違和感解消機能付きズボンを釣り上げている状態を示す側面図であり、（ａ）は釣り上げる前の状態、（ｂ）は釣り上げた状態である。
実施例２の違和感解消機能付きズボン２１は、その股下２１ｂの膝部分に本発明の違和感解消機能を構成したものである。実施例２のズボン２１は、ズボン２１の股下２１ｂの膝部分におけるサイドシーム７に取り付けられた第１係合部２２と、第１係合部２２の上下方向の位置より上方に取り付けられた第２係合部２３とを備えたものである。
【００３６】
図５（ａ）に示すように、第１係合部２２と第２係合部２３の上下方向の間隔Ｌ３は２ｃｍから３ｃｍ程度が好ましい。この間隔Ｌ３の半分の間隔が吊り上げられる長さになる。実施例２の違和感解消機能付きズボンは、ズボン２１の膝部分の布地を部分的に吊り上げ、この布地が膝にまとわり付く違和感を解消するためである。
【００３７】
実施例２の違和感解消機能付きズボン２１に取り付ける第１係合部２２と第２係合部２３は、布地表面側に共に取り付けられる部材であるため実施例1で説明したボタンとボタンホールとの組み合わせは適さない。ホックボタン又は鉤ホックと鉤受けとの組み合わせたものが適している。いずれも嵌め易いからである。図示例の第１係合部２２と第２係合部２３はホックボタンである。このホックボタンは、金属製の上型とキャップを布地に挟むように取り付け、金属製の下型とツメを布地に挟むように取り付けたものであり、上型の凹部が下型の凸部に着脱自在に嵌るように構成された部材である。
【００３８】
＜実施例２の違和感解消機能付きズボンの使用方法＞
図６は実施例２の違和感解消機能付きズボンを釣り上げている状態で膝を曲げた状態を示す側面図である。
実施例２の違和感解消機能付きズボン２１では、その股下２１ｂの膝部分におけるサイドシーム７に取り付けられた第１係合部２２を、その上方の位置に取り付けられた第２係合部２３に掛け止めることにより、ズボン２１の股下２１ｂの膝部分における布地を、上方に吊り上げられた状態にすることができる。その結果、ズボン２１の膝部分の布地に弛みが生じるので、膝の屈伸を行ってもズボン２１が膝、太もも等の身体部位にまとわり付くことがなく、違和感を解消することができる。
この場合も、通常に歩行する際には、この第１係合部２２を第２係合部２３から外せば、吊り上げられていた股下２１ｂの布地を下げることができ、歩行の邪魔をしない。
【実施例３】
【００３９】
＜実施例３の違和感解消機能付きズボンの構成＞
図７は実施例３の違和感解消機能付きズボンを示す側面図である。
実施例３の違和感解消機能付きズボン３１は、その股下３１ｂの膝部分に本発明の違和感解消機能を構成したものである。実施例３のズボン３１は、股下３１ｂの太もも部分に袋型ポケット３２と、この袋型ポケット３２を閉止するフラップ３３と備えたものである。袋型ポケット３２を閉止するフラップ３３に、股下３１ｂの長手方向と直交する方向に取り付けられた複数の第１係合部３４と、ズボン３１の股下３１ｂに、フラップ３３の位置より上方に取り付けられた第２係合部３５と、を備えた。
【００４０】
図示例では、ズボン３１の股下３１ｂに取り付けられた第２係合部３５にボタンを、フラップ３３に複数設けられた第１係合部３４にボタンホールを形成したものを示している。第１係合部３４（ボタンホール）を３か所設けている状態を示している。この３か所に限定されず、２か所又は４か所以上とすることができる。
【００４１】
また、本来の袋型ポケット３２の蓋としてフラップ３３を止めておくボタン３６を取り付け、これを第１係合部３４（ボタンホール）に掛け止められるようになっている。このボタンとボタンホールに代えて、ホックボタンを用いることができる。
【００４２】
＜実施例３の違和感解消機能付きズボンの使用方法＞
図８は実施例３の違和感解消機能付きズボンを釣り上げる状態を示す側面図であり、（ａ）はフラップを反転した状態、（ｂ）はフラップを第２係合部に掛け止めた状態である。
実施例３のズボン３１では、図８（ａ）に示すように、袋型ポケット３２のフラップ３３を上方に反転させる。図８（ｂ）に示すように、その第１係合部３４のいずれかを第２係合部３５に掛け止めることにより、ズボン３１の股下３１ｂの布地を部分的かつ選択的に吊り上げることができる。そこで、ズボン３１の布地が膝、太もも等の身体部位にまとわり付く違和感を解消することができる。
【００４３】
図９は実施例３の違和感解消機能付きズボンを釣り上げている状態を示す拡大図であり、（ａ）は膝側の布地を選択的に吊り上げている状態、（ｂ）は中間の布地を吊り上げている状態、（ｃ）は膝裏側の布地を選択的に吊り上げている状態である。
実施例３の違和感解消機能付きズボン３１は、第１係合部３４のいずれかを第２係合部３５に選択的に係合させることにより、ズボン３１の股下３１ｂの布地が吊り上げられる状態を変化させ得るように構成した。そこで、図９（ａ）に示すように、フラップ３３の膝側に形成した第１係合部３４を第２係合部３５に掛け止めることで、膝側を大きく吊り上げることができる。図９（ｂ）に示すように、フラップ３３の中間に形成した第１係合部３４を第２係合部３５に掛け止めることで、全体を吊り上げることができる。図９（ｃ）に示すように、フラップ３３の膝裏側に形成した第１係合部３４を第２係合部３５に掛け止めることで、膝裏側を大きく吊り上げることができ、所望の位置を選択的に吊り上げることができる。
【実施例４】
【００４４】
＜実施例４の違和感解消機能付きズボンの構成＞
図１０は実施例４の違和感解消機能付きズボンを示す側面図である。
実施例４の違和感解消機能付きズボン４１は、その股下４１ｂ側面のふともも部分に本発明の違和感解消機能を構成したものである。実施例４のズボン４１は、股下４１ｂの太もも部分に複数の第１係合部４３を有する調節ベルト４２と、この調節ベルト４２を掛け止める第２係合部４４と、を備えたものである。調節ベルト４２は布地のような可撓性を有する素材から成る。調節ベルト４２はその一端のみをズボン４１の布地の縫合し、他方は自在になり、反転することができるようになっている。第２係合部４４はこの調節ベルト４２の上方の位置に取り付けられている。
【００４５】
図示例では、ズボン４１の股下４１ｂに取り付けられた第２係合部４４にボタンを、調節ベルト４２に複数設けられた第１係合部４３にボタンホールを形成したものを示している。第１係合部４３（ボタンホール）を２か所設けている状態を示している。この２か所に限定されず、３か所又は４か所以上とすることができる。
【００４６】
＜実施例４の違和感解消機能付きズボンの使用方法＞
図１１は実施例４の違和感解消機能付きズボンを釣り上げる状態を示す側面図であり、（ａ）は調節ベルトを反転した状態、（ｂ）は調節ベルトを第２係合部に掛け止めた状態である。
実施例４のズボン４１では、図１１（ａ）に示すように、調節ベルト４２を上方に反転させる。図１１（ｂ）に示すように、調節ベルト４２の第１係合部４３のいずれかを第２係合部４４に掛け止めることにより、ズボン４１の股下４１ｂの布地を部分的かつ選択的に吊り上げることができる。そこで、ズボン４１の布地が膝、太もも等の身体部位にまとわり付く違和感を解消することができる。
【００４７】
調節ベルト４２には複数の第１係合部４３が備えられているので、ズボン４１の股下４１ｂの布地を少し吊り上げたいときは、調節ベルト４２の下端側の（反転したときは上端側）の１番目の第１係合部４３を第２係合部４４に掛け止める。ズボン４１の股下４１ｂの布地を大きく吊り上げたいときは、調節ベルト４２の２番目の第１係合部４３を第２係合部４４に掛け止める。このように吊り上げる布地の間隔を調節することができる。
【００４８】
図１２は実施例４の第１係合部と第２係合部にホックボタンを用いた状態を示す正面図であり、（ａ）は掛け止める前の状態、（ｂ）は掛け止めた後の状態である。
調節ベルト４２の第１係合部４３と第２係合部４４には、ボタンとボタンホールとの組み合わせに限定されない。図１２に示すようにホックボタンを用いることができる。更に、ホックボタンに代えて鉤ホックと鉤受けとの組み合わせを用いることもできる。
【００４９】
図１３は実施例４の第１係合部と第２係合部に面ファスナーを用いた状態を示す正面図であり、（ａ）は掛け止める前の状態、（ｂ）は掛け止めた後の状態である。
更に、調節ベルト４２の第１係合部４３と第２係合部４４に、面ファスナーを用いることができる。この面ファスナーの場合は、股下４１ｂの布地を吊り上げる間隔を微調節することができる。
【００５０】
なお、本発明は、簡単な構成でズボンの布地の一部を吊り上げることで、ズボンの布地が膝、太もも等の身体部位へのまとわり付くことを解消できれば、上述した発明の実施の形態に限定されず、本発明の要旨を逸脱しない範囲で種々変更できることは勿論である。
【産業上の利用可能性】
【００５１】
本発明の違和感解消機能付きズボンは、ズボン１，２１，３１，４１に限定されず、袖を有する衣服に利用することができる。
【符号の説明】
【００５２】
１  ズボン
１ｂ  ズボンの股下
１ａ  ズボンの股上
２  サイドポケット
７  サイドシーム
１１  第１係合部
１２  第２係合部
２１  ズボン
２１ｂ  ズボンの股下
２２  第１係合部
２３  第２係合部
３１  ズボン
３１ｂ  ズボンの股下
３２  袋型ポケット
３３  フラップ
３４  第１係合部
３５  第２係合部
４１  ズボン
４１ｂ  ズボンの股下
４２  調節ベルト
４３  第１係合部
４４  第２係合部
【要約】
【課題】簡単な構成でズボンの布地の一部を吊り上げることで、ズボンの布地が膝、太もも等の身体部位へのまとわり付くことを解消すると共に、ズボンのデザイン性が制約されない。
【解決手段】ズボン１のサイドポケット２の開口部に取り付けられた第１係合部（ボタン１１）と、ズボン１の股上１ａ側面に、ボタン１１とは異なる上下方向の位置に取り付けられた第２係合部（ボタンホール１２）とを備え、ボタン１１とボタンホール１２とは着脱自在に係合させ得る部材であり、ボタン１１をボタンホール１２に掛け止めることにより、ズボン１の股下１ｂの布地が一部吊り上げられた状態になるように構成した。
【選択図】図１【図１】
0005858500.tif 000002
【図２】
0005858500.tif 000003
【図３】
0005858500.tif 000004
【図４】
0005858500.tif 000005
【図５】
0005858500.tif 000006
【図６】
0005858500.tif 000007
【図７】
0005858500.tif 000008
【図８】
0005858500.tif 000009
【図９】
0005858500.tif 000010
【図１０】
0005858500.tif 000011
【図１１】
0005858500.tif 000012
【図１２】
0005858500.tif 000013
【図１３】
0005858500.tif 000014